(57)【要約】【課題】目地部材によって意匠性を損なうことがなく、また施工者の裁量に関係なく所定の位置に目地部材を圧入することができることを特徴とする、目地部材を介した壁パネルの接続構造を提供する。【解決手段】支柱部材は、浴室コーナー部における壁パネルの裏側に位置する奥面部と、前記奥面部から前記壁パネル側に向けて延出する一対の側面部と、前記側面部の先端に続いて設けられて前記側面部の内側に折り曲げられ、開口を隔てて対向する一対の折曲部と、を有する中空柱状に形成され、前記奥面部には、前記目地部材を所定の位置に圧入した際に、前記目地部材の先端が横滑りすることを防止するための位置決め手段を有していることを特徴とする浴室壁パネルの接続構造を提供する。【選択図】  図１
2009215767.tif 000002
【特許請求の範囲】
【請求項１】
浴室コーナー部で略直角に設けられる一組の壁パネルが、目地部材を介して支柱部材に取り付けられた浴室壁パネルの接続構造であって、
前記支柱部材は、前記浴室コーナー部における前記壁パネルの裏側に位置する奥面部と、
前記奥面部から前記壁パネル側に向けて延出する一対の側面部と、
前記側面部の先端に続いて設けられて前記側面部の内側に折り曲げられ、開口を隔てて対向する一対の折曲部と、を有する中空柱状に形成され、
前記壁パネルは、側端部を前記浴室に臨む面の反対面側に折り曲げられてなる突部を有し、
前記一組の壁パネルのそれぞれの前記突部は、前記支柱部材の前記折曲部間の前記開口から前記支柱部材の内部に入り込み、
前記突部間に前記目地部材が圧入されることで前記突部は前記目地部材と前記折曲部との間に嵌合し、
前記奥面部には、前記目地部材を所定の位置に圧入した際に、前記目地部材の先端が横滑りすることを防止するための位置決め手段を有していることを特徴とする浴室壁パネルの接続構造。
【請求項２】
前記位置決め手段は、前記支柱部材と一体または別体で形成され、前記奥面部から浴室内側に向かって凹状の凹部を有していることを特徴とした請求項１に記載の浴室壁パネルの接続構造。
【請求項３】
前記目地部材は、硬質材料で形成される目地部材本体と、目地部材本体の両側面に突設した硬質材料で形成された瘤部と、軟質材料で形成された襞部からなり、前記目地部材本体の先端部を楔形状とし、前記襞部を圧入方向と逆方向を向くように斜めに傾斜させたことを特徴とする請求項１または２に記載の浴室壁パネルの接続構造。
【請求項４】
目地部材の前記先端部が、前記支柱部材の前記位置決め手段に当接した状態で納まることを特徴とした請求項１または２に記載の浴室壁パネルの接続構造。
【発明の詳細な説明】
【技術分野】
【０００１】
本発明は、浴室のコーナー部で略直角に設けられる浴室壁パネルの取付構造に関する。
【背景技術】
【０００２】
従来、浴室壁パネルの側端部を支柱部材に対して嵌合させて取り付けた構造が知られている（例えば、特許文献１参照）。浴室のコーナー部においては、壁パネルは略直角に設けられ、それら壁パネル間には目地部材が打ち込まれ、この目地部材によって壁パネルが支柱部材に対して取り付けられると共に、壁パネル裏側への湯水の浸入防止がなされる（例えば、特許文献２参照）。壁パネル、支柱部材および床パンの製造誤差を吸収して取り付けられる利点があることから、特にコーナー部において、このような目地部材を介した壁パネルの接続構造が一般的となっている。
【０００３】
しかしながら、このような目地部材を介した壁パネルの接続構造においては、目地部材を圧入することから、施工者の裁量によっては目地部材が所定の位置よりも奥に入りすぎてしまうことが懸念され、その防止策のために目地幅が大きくなり、壁パネルの柄の連続性を途切れさせるなど意匠性を損なってしまう。また、目地部材が横滑りすることによって壁パネルに撓みが生じ、カウンターなどの器具を取り付けた際の隙間やコーキング幅が不均一になるなどの不具合が生じることがある。
【特許文献１】特許第２６４８０２３号公報
【特許文献２】特開平６−１０８５６０号公報
【発明の開示】
【発明が解決しようとする課題】
【０００４】
本発明は、上記問題を解決するためになされたもので、目地部材によって意匠性を損なうことがなく、また施工者の裁量に関係なく所定の位置に目地部材を圧入することができることを特徴とする、目地部材を介した壁パネルの接続構造を提供する。
【課題を解決するための手段】
【０００５】
本発明の一態様によれば、浴室コーナー部で略直角に設けられる一組の壁パネルが、目地部材を介して支柱部材に取り付けられた浴室壁パネルの接続構造であって、前記支柱部材は、前記浴室コーナー部における前記壁パネルの裏側に位置する奥面部と、前記奥面部から前記壁パネル側に向けて延出する一対の側面部と、前記側面部の先端に続いて設けられて前記側面部の内側に折り曲げられ、開口を隔てて対向する一対の折曲部と、を有する中空柱状に形成され、前記壁パネルは、側端部を前記浴室に臨む面の反対面側に折り曲げられてなる突部を有し、前記一組の壁パネルのそれぞれの前記突部は、前記支柱部材の前記折曲部間の前記開口から前記支柱部材の内部に入り込み、前記突部間に前記目地部材が圧入されることで前記突部は前記目地部材と前記折曲部との間に嵌合し、前記奥面部には、前記目地部材を所定の位置に圧入した際に、前記目地部材の先端が横滑りすることを防止するための位置決め手段を有していることを特徴とする浴室壁パネルの接続構造を提供する。
【発明の効果】
【０００６】
上記のような構成によれば、支柱部材に設けられた位置決め手段によって、施工者の裁量に関係なく所定の位置に目地部材を圧入することができるようになり、施工品質が安定し、確実に止水性が確保ができる。また、目地部材が奥に入りすぎることがなくなるため、目地部材の幅を任意の大きさに極力小さくすることができ、意匠性の向上が図れる。
【発明を実施するための最良の形態】
【０００７】
以下、図面を参照し、本発明の実施形態について説明する。
【０００８】
図１は、本発明の実施形態に係る浴室壁パネルの接続構造を表す模式断面図である。
【０００９】
本発明の実施形態に係る浴室壁パネルの接続構造は、浴室コーナー部で略直角に設けられた一組の壁パネル３０ａ、３０ｂに対して適用されるいわゆるコーナージョイント部の接続構造である。壁パネル３０ａと壁パネル３０ｂとは、目地部材２０を介して支柱部材（コーナージョイナー）１０に対して取り付けられる。
【００１０】
支柱部材１０は、例えば長尺状の鋼板を折り曲げて中空柱状にした構造を有する。支柱部材１０は、浴室コーナー部における壁パネル３０ａ、３０ｂの裏側（浴室１００とは反対側）で両壁パネル３０ａ、３０ｂに対して離間して位置する略Ｍ字状に形成された奥面部１１と、奥面部１１から壁パネル３０ａ、３０ｂ側に向けて屈曲しつつ延出する略Ｌ字上に形成された一対の側面部１２と、それぞれの側面部１２の先端に続いて設けられて側面部１２の内側に折り曲げられた折曲部１３とを有し、これらは一体に形成されている。
【００１１】
一対の折曲部１３は、支柱部材１０の中空の内部に通じる開口４を隔てて互いに対向している。各折曲部１３は、開口４から支柱部材１０の内部に入り込んだ傾斜部１４を有する。傾斜部１４は、開口４側から支柱部材１０の内部に入るにしたがって徐々に側面部１２に近づくように傾斜している。
【００１２】
前記奥面部１１は、略Ｍ字の形状を成し、開口４から圧入される目地部材２０の先端が包み込まれるように当接した状態で納まるような位置決め手段として凹部１５と、凹部１５を形成する側面部１６から成る。
【００１３】
図２は、目地部材２０の模式拡大断面図である。
【００１４】
目地部材２０は、例えば硬質性の樹脂材料からなり、一体に設けられた頭部２１及び胴部２２を有する。胴部２２において略平行な両側面のそれぞれには、胴部２２と一体に設けられた瘤部２３と翼状に突出した襞部２４が設けられている。瘤部２３の側方への突出量は、頭部２１の突出量よりも小さく形成されている。瘤部２３は頭部２１と襞部２４の根元との間に胴部２２と一体に突設され、頭部２１と瘤部２３で略直角をなす凹部２５を形成する。襞部２４は、防水性を有し且つ弾性変形可能な軟質材料（例えばゴム系材料）からなり、頭部２１に向かうにしたがって互いの距離が大きくなるように翼状に広がっている。また、胴部２２の先端部２６は楔形状に成形されている。また、目地部材を所定の位置に圧入した際に、襞部２４の先端が、頭部２１と瘤部２３の間の凹部に位置するような長さに襞部２４を形成する。
【００１５】
目地部材２０は支柱部材１０の長さ（高さ）に合わせて、図２において紙面を貫く方向に延在している。
【００１６】
壁パネル３０ａ、３０ｂは、例えば石膏等の裏打ち材３２で裏打ちされた表面材３１を有する。表面材３１は、例えば鋼板に樹脂層を接着して成る。
【００１７】
表面材３１の側端部が、浴室１００に臨む面の反対面側に略「Ｊ」字状に折り曲げられることで、ばね性を有する突部３３が構成されている。突部３３は、表面材３１における浴室１００に臨む面に対して略直角に浴室１００の反対側に折り曲げられた側面部３４と、側面部３４の奥側の先端から内側に折り曲げられた奥面部３５と、奥面部３５の先端から表面材３１の裏面側に折り返された折返し部３６とを有する。
【００１８】
壁パネル３０ａ、３０ｂは、目地部材２０を介して、支柱部材１０に対して取り付けられる。
【００１９】
支柱部材１０は、浴室コーナー部で、開口４を浴室１００側に向けた状態で、洗い場床、浴槽側床パンまたは浴槽リムなどの上に立設される。
【００２０】
一対の壁パネル３０ａ、３０ｂは、浴室１０に臨む面が略直交にされ、側端部に設けられた突部３３が、支柱部材１０の折曲部１３間の開口４から支柱部材１０の内部に入り込んでいる。
【００２１】
それぞれの壁パネル３０ａ、３０ｂの突部３３の側面部３４は、支柱部材１０の内部で略直角にされ、その側面部３４から浴室１００側へと続く部分の角部３７は、互いに離間した状態で、開口４より少し奥側に入った位置で対向している。浴室コーナーに配置された一組の壁パネル３０ａ、３０ｂ同士において角部３７間が最も小さな隙間となる。
【００２２】
それら角部３７間の隙間から支柱部材１０の内部に向けて、目地部材２０の胴部２２が先端部２６から圧入されることで、突部３３は、目地部材２０と支柱部材１０の折曲部１３との間に嵌合保持される。目地部材２０の先端部２６は支柱部材奥面部１１の凹部１５の側面１６に誘導され、先端が凹部１５に当接した状態で納まる。
【００２３】
目地部材２０の胴部２２が、角部３７間の隙間に圧入されることで、その胴部２２の側面から翼状に張り出した襞部２４が、胴部２２において頭部２１側の側面に向けて倒れ込むようにつぶれて角部３７及び胴部２２の両方に対して密着した状態でそれら両者間に介在される。このとき角部３７は、目地部材２０の頭部２１と瘤部２３の間の凹部２５に襞部２４を介して納まった状態となる。弾性を有する材料からなる襞部２４の弾発力によって、角部３７は目地部材２０の胴部２２から遠ざかる方向に付勢され、これにより、突部３３の折返し部３６は、支柱部材１０の折曲部１３の傾斜部１４の内面に押し付けられ、さらに表面材３１において角部３７近傍部分の裏面は、折曲部１３の前端部に押し付けられる。
【００２４】
襞部２４は防水性を有する材料からなり、これらが前述した変形により、目地部材２０の胴部２２と、突部３３において浴室１００側へと続く部分である角部３７との間の隙間を埋めて、それら両者に対しての弾接密着することで、壁パネル３０ａ、３０ｂの裏側への湯水の漏れが防止される。
【００２５】
図６のような従来の目地部材を介した壁パネルの接続構造においては、前述したように目地部材２０を圧入する際に、目地部材２０が所定の位置よりも奥に入りすぎてしまうことがあり、施工者の裁量によって施工品質に影響が出るという懸念があった。その防止策のために目地部材２０の頭部２１の幅が大きくなり、浴室コーナー部で略直角に設けられる一組の壁パネル３０ａ、３０ｂの接続部分において壁柄の連続性を途切れさせるなど意匠性を損なってしまっていた。
【００２６】
また、目地部材２０を浴室コーナー部で略直角に設けられる一組の壁パネル３０ａ、３０ｂの角部３７間の隙間に圧入した時に、支柱部材１０の中空の内部で目地部材の納まりを規制するものが何も無いため、目地部材の先端部２６が横滑りすることによって壁パネルに撓みが生じ、カウンターなどの器具を取り付けた際の隙間やコーキング幅が不均一になるなどの不具合が生じることがあった。
【００２７】
目地部材２０を誰が施工しても所定の位置に納めることができるよう、支柱部材１０に凹部１５を設けることにより、目地部材２０を圧入した際に先端部２６が凹部１５に当接した状態で納まる。先端部２６が移動が規制されることで、目地部材２０は横すべりすることなく、一組の壁パネル３０ａ、３０ｂを略直角に支持部材１０に取り付けることができる。また、奥に入りすぎることもなくなるので、目地部材２０の頭部２１の幅を小さくでき、意匠性の向上も見込める。また、凹部をＭ字状とすることで、凹部が手前側に向かって拡開するため、目地部材の先端を容易に凹部内に挿入しやすく、且つ奥側が狭く形成されているため、より確実に目地部材２０は横すべりを防止できるため、好ましい。
【００２８】
本発明は上述した実施例のほかに、図３、４、５に示すように、支柱部材１０の凹部１５のような位置決め手段は多様に考えられ、前述した形態は本発明の一態様にすぎない。
【００２９】
図３は、上述した実施例の支柱部材１０の凹部１５の形状を変えた例である。位置決め手段の凹部を形成する側面１６は、目地部材２０を圧入するときに先端２６を凹部に誘導させるため、凹部１５から開口４に向かってお互いの距離が大きくなるような翼状になっている。この間の開きが大きいほど目地部材先端部２６がずれて圧入された際の横滑りを所定の位置に納めることのできる幅が大きくなるため好ましい。
【００３０】
図４、５は、位置決め手段を支柱部材１０とは別の第２の支柱部材５０で形成する例である。前記支柱部材５０は例えば硬質性の樹脂材料からなり、図４の例では支柱部材１０の中空部で折曲部１３に突っ張らせて、図５の例では傾斜部１４に引っ掛けて、支柱部材１０に固定する。位置決め部材を第２の支柱部材で設ける場合、特許文献１に記載のように、壁パネルの突部３３に当接するような襞部を、防水性を有し且つ弾性変形可能な軟質材料（例えばゴム系材料）等で第２の支柱部材５０に設ければ、目地部材２０と併せた止水構造とすることができる。
【００３１】
部材点数を考慮すれば位置決め手段は支柱部材１０と一体が好ましいのは言うまでも無いが、位置決め手段は支柱部材１０と別体でもよく、目地部材２０の先端が納まるような位置決め手段を有した目地部材を介しての浴室壁パネル接続構造は、すべて本発明に含まれる。
【図面の簡単な説明】
【００３２】
【図１】本発明の実勢形態に係る浴室壁パネルの接続構造を表す模式断面図である。
【図２】図１に表す目地部材の模式拡大断面図である。
【図３】本発明の支柱部材と位置決め手段の他例である。
【図４】本発明の支柱部材と位置決め手段の他例である。
【図５】本発明の支柱部材と位置決め手段の他例である。
【図６】従来技術の浴室壁パネルの接続構造を表す模式断面図である。
【符号の説明】
【００３３】
１０…支柱部材、１１…奥面部、１２…側面部、１３…折曲部、１４…傾斜部
１５…凹部、１６…凹部側面部
２０…目地部材、２１…頭部、２２…胴部、２３…瘤部、２４…襞部、２５…凹部
２６…先端部
３０ａ、３０ｂ…壁パネル、３１…表面材、３２…裏打ち材、３３…突部
３４…側面部、３５…奥面部、３６…折返し部、３７…角部
４…開口
５０…第２の支柱部材
【図１】
2009215767.tif 000003
【図２】
2009215767.tif 000004
【図３】
2009215767.tif 000005
【図４】
2009215767.tif 000006
【図５】
2009215767.tif 000007
【図６】
2009215767.tif 000008